(57)【要約】  紙幣収納庫の内部に収納されている紙幣について、当該紙幣の種類である金種別に、かつ、当該紙幣の特徴量に基づく分類であるカテゴリ別に、枚数情報を記憶する記憶部を備える。なお、カテゴリとは、紙幣をその性質によって分類したときの区分けであり、ＥＣＢで定義された５つの区分けでは、紙幣は、所定の紙幣処理機の識別能力の範囲で本物か、偽物かで２つに分類され、前者を真券、後者を偽券と呼ぶ。そして、真券は、損傷の度合いでさらに２つに分類され、使用に支障のないものを正券、損傷が著しく使用に支障をきたすものを損券と呼ぶ。よって、５つの区分けは、真券かつ正券と、真券かつ損券と、偽券と、紙幣処理機において真券とは明確に判断できない真偽不確定券と、そして、紙幣処理機において識別時に紙幣が２枚重なっていたり、紙幣が正しく定位されなかったりした場合になされる判定であるリジェクト券とからなる。
2008149433.tif 000002
【特許請求の範囲】
【請求項１】
紙幣の入出金を管理する紙幣処理機に搭載された紙幣収納庫であって、
当該紙幣収納庫の内部に収納されている紙幣について、当該紙幣の種類である金種別に、かつ、当該紙幣の特徴量に基づく分類であるカテゴリ別に、枚数情報を記憶する記憶手段を備えたことを特徴とする紙幣収納庫。
【請求項２】
外部機器より前記記憶手段に対する枚数情報の書き込み指示を受け付けた場合には、当該書き込み指示に基づいて前記記憶手段に枚数情報を書き込み、前記外部機器より前記記憶手段に対する枚数情報の読み込み指示を受け付けた場合には、当該読み込み指示に基づいて前記記憶手段より枚数情報を読み込んで外部機器に送信する通信手段をさらに備えたことを特徴とする請求項１に記載の紙幣収納庫。
【請求項３】
前記記憶手段は、前記カテゴリとして、前記紙幣より光学的に計測される光学的特徴量として前記紙幣の形状を示す第一の特徴量と、前記紙幣を透過または反射する光の光量または波長を示す第二の特徴量と、前記紙幣より磁気的に計測される磁気的特徴量として前記紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶することを特徴とする請求項１に記載の紙幣収納庫。
【請求項４】
前記記憶手段は、前記カテゴリとして、前記紙幣より光学的に計測される光学的特徴量として前記紙幣の隅折れまたは欠損量を示す第一の特徴量と、前記紙幣を透過する光または反射する光の赤外線の減衰量を示す第二の特徴量と、前記紙幣より磁気的に計測される磁気的特徴量として前記紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶することを特徴とする請求項１に記載の紙幣収納庫。
【請求項５】
紙幣の入出金を管理する紙幣処理機であって、
前記紙幣の種類である金種、並びに、前記紙幣の特徴量に基づく分類であるカテゴリを識別する識別手段と、
前記紙幣を内部に収納するとともに、当該内部に収納されている紙幣について、前記識別手段によって識別される前記金種別に、かつ、カテゴリ別に、枚数情報を記憶する記憶部を備える収納手段と、
前記収納手段ごとに区分けして、各収納手段に収納されている紙幣について、前記識別手段によって識別される前記金種別に、かつ、カテゴリ別に、枚数情報を記憶する記憶手段と
を備えたことを特徴とする紙幣処理機。
【請求項６】
前記収納手段は、前記カテゴリとして、前記紙幣より光学的に計測される光学的特徴量として前記紙幣の形状を示す第一の特徴量と、前記紙幣を透過または反射する光の光量または波長を示す第二の特徴量と、前記紙幣より磁気的に計測される磁気的特徴量として前記紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶する記憶部を備えたことを特徴とする請求項５に記載の紙幣処理機。
【請求項７】
前記収納手段は、前記カテゴリとして、前記紙幣より光学的に計測される光学的特徴量として前記紙幣の隅折れまたは欠損量を示す第一の特徴量と、前記紙幣を透過する光または反射する光の赤外線の減衰量を示す第二の特徴量と、前記紙幣より磁気的に計測される磁気的特徴量として前記紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶する記憶部を備えたことを特徴とする請求項５に記載の紙幣処理機。
【請求項８】
前記収納手段が前記紙幣処理機に装着された場合に、当該収納手段が備える記憶部に記憶されている枚数情報を、当該収納手段に対応付けて前記記憶手段に新たに格納して当該記憶手段に記憶されている枚数情報を更新する第一更新手段と、
前記収納手段へ紙幣が繰り込まれる場合に、または、前記収納手段から紙幣が繰り出される場合に、当該紙幣に対する前記識別手段による識別結果に応じて前記記憶手段によって記憶されている枚数情報を更新する第二更新手段と、
前記収納手段が前記紙幣処理機から取り外された場合に、当該収納手段に対応付けて前記記憶手段に記憶されている枚数情報を、当該収納手段が備える記憶部に上書きして当該記憶部に記憶されている枚数情報を更新する第三更新手段と
をさらに備えたことを特徴とする請求項５に記載の紙幣処理機。
【請求項９】
前記収納手段は、複数個で構成され、金種別に紙幣が収納されるものであって、
前記収納手段が前記紙幣処理機に装着された場合に、当該収納手段が備える記憶部に記憶されている枚数情報を、当該収納手段に対応付けて前記記憶手段に新たに格納して当該記憶手段に記憶されている枚数情報を更新するとともに、当該収納手段に収納されている一の金種を特定する金種情報を当該収納手段に対応付けて当該記憶手段に格納する第一更新手段と、
前記紙幣の入金に際して、当該紙幣に対する前記識別手段による識別結果および前記記憶手段に格納された金種情報に応じて、当該紙幣を繰り込むべき収納手段を選択し、当該選択した前記収納手段へ当該紙幣を繰り込む繰り込み手段と、
前記紙幣の出金に際して、前記記憶手段に格納された金種情報に応じて、当該紙幣を繰り出すべき収納手段を選択し、当該繰り出される紙幣に対する前記識別手段による識別結果が合致することを条件に、当該選択した収納手段より当該紙幣を繰り出す繰り出し手段と、
前記繰り込み手段によって前記収納手段へ紙幣が繰り込まれる場合に、または、前記繰り出し手段によって前記収納手段から紙幣が繰り出される場合に、当該紙幣に対する前記識別手段による識別結果に応じて前記記憶手段によって記憶されている枚数情報を更新する第二更新手段と、
前記収納手段が前記紙幣処理機から取り外された場合に、当該収納手段に対応付けて前記記憶手段に記憶されている枚数情報を、当該収納手段が備える記憶部に上書きして当該記憶部に記憶されている枚数情報を更新する第三更新手段と
をさらに備えたことを特徴とする請求項５に記載の紙幣処理機。
【請求項１０】
前記収納手段は、入金時に前記識別手段によって識別された紙幣を一時保留する入金一時保留収納庫、出金時に前記識別手段によって識別された紙幣を一時保留する出金一時保留収納庫、前記紙幣を金種混合で一括して収納する金種混合収納庫、入金時に前記識別手段によって第三カテゴリに判定された紙幣を収納する入金真偽不確定券収納庫、入金時に前記識別手段によって第四カテゴリに判定された紙幣を収納する入金偽券収納庫、出金時に前記識別手段によって第三カテゴリに判定された紙幣を収納する出金真偽不確定券収納庫、出金時に前記識別手段によって第四カテゴリに判定された紙幣を収納する出金偽券収納庫、出金時に前記識別手段によって第五カテゴリに判定された紙幣を収納する出金リジェクト券収納庫、のうちいずれか一つ、または、複数を含んで構成されることを特徴とする請求項６に記載の紙幣処理機。
【発明の詳細な説明】
【技術分野】
【０００１】
この発明は、紙幣の入出金を管理する紙幣処理機に搭載される紙幣収納庫、および、当該紙幣収納庫を搭載した紙幣処理機に関する。
【背景技術】
【０００２】
従来、金融機関などにおいて、利用者より所定の操作を受け付けて現金の引き出しや振り込みを行う自働取引装置（ＡＴＭ（Automated Teller
Machine）など）があり、その内部に搭載された紙幣処理機が紙幣の入出金を管理している。具体的には、紙幣処理機は、紙幣を収納するための収納庫を備え、収納庫に収納された紙幣の枚数を金種ごとに記憶している。例えば、特許文献１では、収納庫にメモリを設け、当該収納庫に収納された紙幣の枚数を金種ごとにメモリに格納する自動取引装置が開示されている。【０００３】
ところで、近年、上記した自働取引装置において、利用者から投入された紙幣を５つに区分けされたカテゴリのうちどの区分であるか判定することが行われている。このカテゴリについて説明すると、紙幣は、本物であるか偽物であるかで２つに大きく分類され、前者については真券、後者については偽券と呼ばれる。そして、真券は、損傷の度合いでさらに２つに分類され、使用に支障のないものについては正券、損傷が著しく使用に支障をきたすものについては損券と呼ばれる。よって、自働取引装置は、利用者から投入された紙幣が「真券かつ正券」、「真券かつ損券」、「偽券」、真券とは明確に判断できない「真偽不確定券」、そして、カテゴリ判定時に紙幣が２枚重なっていたり、紙幣が識別判定部に正しく定位されなかったりした場合になされる判定である「リジェクト券」の５つに区分けされたカテゴリのうちどれに該当するかを判定する。【０００４】
そして、自働取引装置は、利用者より紙幣が投入されると、当該紙幣を識別判定して５つのカテゴリのうちどの区分に該当するかを判定し、「偽券」、「真偽不確定券」、「リジェクト券」のいずれかに判定された紙幣については、利用者に返却する。一方、「偽券」または「真偽不確定券」に判定された紙幣を回収する自働取引装置もあり、回収された紙幣については、後に種々の調査（使用者の特定など）や犯罪行為の立証に用いられることが行われている。【０００５】
【特許文献１】特許第２６８５８１７号公報
【発明の開示】
【発明が解決しようとする課題】
【０００６】
しかしながら、上記した従来の技術は、収納庫に収納された紙幣の枚数を金種別、かつ、カテゴリ別に把握できないという課題があった。つまり、収納庫では、内部に収納された紙幣について、金種別に枚数情報が記憶されているものの、カテゴリ別に枚数情報が記憶されていなかった。また、紙幣処理機は、自身が備える収納庫内部に収納された紙幣について、金種別に枚数情報を管理しているものの、カテゴリ別に枚数情報を管理していなかった。その結果、偽券や真偽不確定券が使用された場合に、紙幣処理機内部に取り込んだとしても、使用者を特定するためのトレース情報が不足するという課題もあった。【０００７】
そこで、この発明は、上述した従来技術の課題を解決するためになされたものであり、収納庫に収納された紙幣の枚数を金種別、かつ、カテゴリ別に把握することが可能な紙幣収納庫および紙幣処理機を提供することを目的とする。
【課題を解決するための手段】
【０００８】
上述した課題を解決し、目的を達成するため、請求項１に係る発明は、紙幣の入出金を管理する紙幣処理機に搭載された紙幣収納庫であって、当該紙幣収納庫の内部に収納されている紙幣について、当該紙幣の種類である金種別に、かつ、当該紙幣の特徴量に基づく分類であるカテゴリ別に枚数情報を記憶する記憶手段を備えたことを特徴とする。【０００９】
また、請求項２に係る発明は、上記の発明において、外部機器より前記記憶手段に対する枚数情報の書き込み指示を受け付けた場合には、当該書き込み指示に基づいて前記記憶手段に枚数情報を書き込み、前記外部機器より前記記憶手段に対する枚数情報の読み込み指示を受け付けた場合には、当該読み込み指示に基づいて前記記憶手段より枚数情報を読み込んで外部機器に送信する通信手段をさらに備えたことを特徴とする。【００１０】
また、請求項３に係る発明は、上記の発明において、前記記憶手段は、前記カテゴリとして、前記紙幣より光学的に計測される光学的特徴量として前記紙幣の形状を示す第一の特徴量と、前記紙幣を透過または反射する光の光量または波長を示す第二の特徴量と、前記紙幣より磁気的に計測される磁気的特徴量として前記紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶することを特徴とする。【００１１】
また、請求項４に係る発明は、上記の発明において、前記記憶手段は、前記カテゴリとして、前記紙幣より光学的に計測される光学的特徴量として前記紙幣の隅折れまたは欠損量を示す第一の特徴量と、前記紙幣を透過する光または反射する光の赤外線の減衰量を示す第二の特徴量と、前記紙幣より磁気的に計測される磁気的特徴量として前記紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶することを特徴とする。【００１２】
また、請求項５に係る発明は、紙幣の入出金を管理する紙幣処理機であって、前記紙幣の種類である金種、並びに、前記紙幣の特徴量に基づく分類であるカテゴリを識別する識別手段と、前記紙幣を内部に収納するとともに、当該内部に収納されている紙幣について、前記識別手段によって識別される前記金種別に、かつ、カテゴリ別に、枚数情報を記憶する記憶部を備える収納手段と、前記収納手段ごとに区分けして、各収納手段に収納されている紙幣について、前記識別手段によって識別される前記金種別に、かつ、カテゴリ別に、枚数情報を記憶する記憶手段と、を備えたことを特徴とする。【００１３】
また、請求項６に係る発明は、上記の発明において、前記収納手段は、前記カテゴリとして、前記紙幣より光学的に計測される光学的特徴量として前記紙幣の形状を示す第一の特徴量と、前記紙幣を透過または反射する光の光量または波長を示す第二の特徴量と、前記紙幣より磁気的に計測される磁気的特徴量として前記紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶する記憶部を備えたことを特徴とする。【００１４】
また、請求項７に係る発明は、上記の発明において、前記収納手段は、前記カテゴリとして、前記紙幣より光学的に計測される光学的特徴量として前記紙幣の隅折れまたは欠損量を示す第一の特徴量と、前記紙幣を透過する光または反射する光の赤外線の減衰量を示す第二の特徴量と、前記紙幣より磁気的に計測される磁気的特徴量として前記紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、前記枚数情報を記憶する記憶部を備えたことを特徴とする。【００１５】
また、請求項８に係る発明は、上記の発明において、前記収納手段が前記紙幣処理機に装着された場合に、当該収納手段が備える記憶部に記憶されている枚数情報を、当該収納手段に対応付けて前記記憶手段に新たに格納して当該記憶手段に記憶されている枚数情報を更新する第一更新手段と、前記収納手段へ紙幣が繰り込まれる場合に、または、前記収納手段から紙幣が繰り出される場合に、当該紙幣に対する前記識別手段による識別結果に応じて前記記憶手段によって記憶されている枚数情報を更新する第二更新手段と、前記収納手段が前記紙幣処理機から取り外された場合に、当該収納手段に対応付けて前記記憶手段に記憶されている枚数情報を、当該収納手段が備える記憶部に上書きして当該記憶部に記憶されている枚数情報を更新する第三更新手段と、をさらに備えたことを特徴とする。【００１６】
また、請求項９に係る発明は、上記の発明において、前記収納手段は、複数個で構成され、金種別に紙幣が収納されるものであって、前記収納手段が前記紙幣処理機に装着された場合に、当該収納手段が備える記憶部に記憶されている枚数情報を、当該収納手段に対応付けて前記記憶手段に新たに格納して当該記憶手段に記憶されている枚数情報を更新するとともに、当該収納手段に収納されている一の金種を特定する金種情報を当該収納手段に対応付けて当該記憶手段に格納する第一更新手段と、前記紙幣の入金に際して、当該紙幣に対する前記識別手段による識別結果および前記記憶手段に格納された金種情報に応じて、当該紙幣を繰り込むべき収納手段を選択し、当該選択した前記収納手段へ当該紙幣を繰り込む繰り込み手段と、前記紙幣の出金に際して、前記記憶手段に格納された金種情報に応じて、当該紙幣を繰り出すべき収納手段を選択し、当該繰り出される紙幣に対する前記識別手段による識別結果が合致することを条件に、当該選択した収納手段より当該紙幣を繰り出す繰り出し手段と、前記繰り込み手段によって前記収納手段へ紙幣が繰り込まれる場合に、または、前記繰り出し手段によって前記収納手段から紙幣が繰り出される場合に、当該紙幣に対する前記識別手段による識別結果に応じて前記記憶手段によって記憶されている枚数情報を更新する第二更新手段と、前記収納手段が前記紙幣処理機から取り外された場合に、当該収納手段に対応付けて前記記憶手段に記憶されている枚数情報を、当該収納手段が備える記憶部に上書きして当該記憶部に記憶されている枚数情報を更新する第三更新手段と、をさらに備えたことを特徴とする。【００１７】
また、請求項１０に係る発明は、上記の発明において、前記収納手段は、入金時に前記識別手段によって識別された紙幣を一時保留する入金一時保留収納庫、出金時に前記識別手段によって識別された紙幣を一時保留する出金一時保留収納庫、前記紙幣を金種混合で一括して収納する金種混合収納庫、入金時に前記識別手段によって第三カテゴリに判定された紙幣を収納する入金真偽不確定券収納庫、入金時に前記識別手段によって第四カテゴリに判定された紙幣を収納する入金偽券収納庫、出金時に前記識別手段によって第三カテゴリに判定された紙幣を収納する出金真偽不確定券収納庫、出金時に前記識別手段によって第四カテゴリに判定された紙幣を収納する出金偽券収納庫、出金時に前記識別手段によって第五カテゴリに判定された紙幣を収納する出金リジェクト券収納庫、のうちいずれか一つ、または、複数を含んで構成されることを特徴とする。
【発明の効果】
【００１８】
請求項１の発明によれば、内部に収納されている紙幣について、当該紙幣の種類である金種別に、かつ、当該紙幣の特徴量に基づく分類であるカテゴリ別に、枚数情報を記憶するので、収納庫に収納された紙幣の枚数を金種別、かつ、カテゴリ別に把握することが可能となる。【００１９】
また、請求項２の発明によれば、外部機器より枚数情報の書き込み指示を受け付けた場合には、当該書き込み指示に基づいて枚数情報を書き込み、外部機器より枚数情報の読み込み指示を受け付けた場合には、当該読み込み指示に基づいて枚数情報を読み込んで外部機器に送信するので、収納庫が記憶する枚数情報を外部機器によって更新することが可能となり、収納庫が記憶する枚数情報を外部機器より読み込むことが可能となる。【００２０】
また、請求項３の発明によれば、カテゴリとして、紙幣より光学的に計測される光学的特徴量として紙幣の形状を示す第一の特徴量と、紙幣を透過または反射する光の光量または波長を示す第二の特徴量と、紙幣より磁気的に計測される磁気的特徴量として紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、枚数情報を記憶するので、収納庫に収納された紙幣の枚数を金種別、かつ、ヨーロッパ中央銀行（以下、ＥＣＢと言う）の定義別に把握することが可能となる。【００２１】
また、請求項４の発明によれば、カテゴリとして、紙幣より光学的に計測される光学的特徴量として紙幣の隅折れまたは欠損量を示す第一の特徴量と、紙幣を透過する光または反射する光の赤外線の減衰量を示す第二の特徴量と、紙幣より磁気的に計測される磁気的特徴量として紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、枚数情報を記憶するので、収納庫に収納された紙幣の枚数を金種別、かつ、ＥＣＢの定義別に正確に把握することが可能となり、偽券や真偽不確定券を取り込んだ場合に、使用者を特定するための新たなトレース情報を追加することが可能となる。【００２２】
また、請求項５の発明によれば、紙幣を内部に収納するとともに、当該内部に収納されている紙幣について、識別した金種別に、かつ、カテゴリ別に、枚数情報を記憶する記憶部を備える収納庫を搭載する。そして、紙幣の種類である金種、並びに、紙幣の特徴量に基づく分類であるカテゴリを識別し、収納庫ごとに区分けして、各収納庫に収納されている紙幣について、識別した金種別に、かつ、カテゴリ別に、枚数情報を記憶する。こうすることによって、収納庫および紙幣処理機の両者で、収納庫に収納された紙幣の枚数を金種別、かつ、カテゴリ別に把握することが可能となる。【００２３】
また、請求項６の発明によれば、搭載した収納庫は、カテゴリとして、紙幣より光学的に計測される光学的特徴量として紙幣の形状を示す第一の特徴量と、紙幣を透過または反射する光の光量または波長を示す第二の特徴量と、紙幣より磁気的に計測される磁気的特徴量として紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、枚数情報を記憶する記憶部を備えるので、収納庫および紙幣処理機の両者で、収納庫に収納された紙幣の枚数を金種別、かつ、ＥＣＢの定義別に把握することが可能となる。【００２４】
また、請求項７の発明によれば、搭載した収納庫は、カテゴリとして、紙幣より光学的に計測される光学的特徴量として紙幣の隅折れまたは欠損量を示す第一の特徴量と、紙幣を透過する光または反射する光の赤外線の減衰量を示す第二の特徴量と、紙幣より磁気的に計測される磁気的特徴量として紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、枚数情報を記憶する記憶部を備えるので、収納庫および紙幣処理機の両者で、収納庫に収納された紙幣の枚数を金種別、かつ、ＥＣＢの定義別に把握することが可能となり、偽券や真偽不確定券を取り込んだ場合に、使用者を特定するための新たなトレース情報を追加することが可能となる。【００２５】
また、請求項８の発明によれば、収納庫が紙幣処理機に装着された場合に、当該収納庫が備える記憶部に記憶されている枚数情報を、当該収納庫に対応付けて枚数情報を更新する。また、収納庫へ紙幣が繰り込まれる場合に、または、収納庫から紙幣が繰り出される場合に、当該紙幣に対する識別結果に応じて記憶した枚数情報を更新する。また、収納庫が紙幣処理機から取り外された場合に、当該収納庫に対応付けて記憶した枚数情報を、当該収納庫が備える記憶部に上書きして当該記憶部に記憶されている枚数情報を更新する。こうすることによって、収納庫の装着に際しても、当該装着した収納庫を含む収納庫および紙幣処理機の両者で、収納庫に収納された紙幣の枚数を金種別、かつ、カテゴリ別に正確に把握することが可能となる。また、取り外された後においても、当該取り外された収納庫に収納された紙幣の枚数を金種別、かつ、カテゴリ別に正確に把握するとともに、収納庫および紙幣処理機の両者で、収納庫に収納された紙幣の枚数を金種別、かつ、カテゴリ別に正確に把握することが可能となる。【００２６】
また、請求項９の発明によれば、収納庫は、複数個で構成され、金種別に紙幣が収納されるものであって、収納庫が紙幣処理機に装着された場合に、当該収納庫が備える記憶部に記憶されている枚数情報を、当該収納庫に対応付けて枚数情報を更新するとともに、当該収納庫に収納されている一の金種を特定する金種情報を当該収納庫に対応付けて記憶する。紙幣の入金に際して、当該紙幣に対する識別結果および記憶した金種情報に応じて、当該紙幣を繰り込むべき収納庫を選択し、当該選択した収納庫へ当該紙幣を繰り込み、紙幣の出金に際して、記憶した金種情報に応じて、当該紙幣を繰り出すべき収納庫を選択し、当該繰り出される紙幣に対する識別結果が合致することを条件に、当該選択した収納庫より当該紙幣を繰り出す。ここで、収納庫へ紙幣が繰り込まれる場合に、または、収納庫から紙幣が繰り出される場合に、当該紙幣に対する識別結果に応じて記憶している枚数情報を更新する。また、収納庫が紙幣処理機から取り外された場合に、当該収納庫に対応付けて記憶した枚数情報を、当該収納庫が備える記憶部に上書きして当該記憶部に記憶されている枚数情報を更新する。こうすることによって、一つの金種の紙幣を収納した収納庫をいずれの搭載箇所に搭載しても、入金時には、取り込んだ紙幣と同金種の紙幣を収納する収納庫に誤りなく収納し、出金時には、出金額に必要な金種の紙幣を収納する収納庫から誤りなく紙幣を払い出すことが可能となる。【００２７】
また、請求項１０の発明によれば、収納庫は、入金時に識別手段によって識別された紙幣を一時保留する入金一時保留収納庫、出金時に識別手段によって識別された紙幣を一時保留する出金一時保留収納庫、紙幣を金種混合で一括して収納する金種混合収納庫、入金時に識別手段によって第三カテゴリに判定された紙幣を収納する入金真偽不確定券収納庫、入金時に識別手段によって第四カテゴリに判定された紙幣を収納する入金偽券収納庫、出金時に識別手段によって第三カテゴリに判定された紙幣を収納する出金真偽不確定券収納庫、出金時に識別手段によって第四カテゴリに判定された紙幣を収納する出金偽券収納庫、出金時に識別手段によって第五カテゴリに判定された紙幣を収納する出金リジェクト券収納庫、のうちいずれか一つ、または、複数を含んで構成されるので、収納庫および紙幣処理機の両者で、収納庫に収納された紙幣の枚数を金種別、かつ、カテゴリ別に把握することが可能となる。
【図面の簡単な説明】
【００２８】
【図１】図１は、実施例１に係る紙幣収納庫の構成を説明するための図である。
【図２】図２は、紙幣管理テーブル記憶部に記憶される情報の例を示す図である。
【図３】図３は、紙幣収納庫の概観を示す図である。
【図４】図４は、紙幣収納庫の三面図である。
【図５】図５は、実施例２に係る紙幣処理機の概要および特徴を説明するための図である。
【図６】図６は、実施例２に係る紙幣処理機の構成を説明するための図である。
【図７】図７は、紙幣管理テーブル記憶部に記憶される情報の例を示す図である。
【図８】図８は、紙幣処理機の出金時における処理の流れを示すフローチャートである。
【図９】図９は、紙幣処理機の入金時における処理の流れを示すフローチャートである。
【図１０】図１０は、紙幣収納庫脱時における紙幣処理機の処理の流れを示すフローチャートである。
【図１１】図１１は、紙幣収納庫着時における紙幣処理機の処理の流れを示すフローチャートである。
【符号の説明】
【００２９】
１  メモリ基板
２  コネクタ
１０  紙幣収納庫
２０  接続Ｉ／Ｆ部
３０  紙幣管理テーブル記憶部
４０  処理部
４１  読み書き制御部
５０  紙幣処理機
６０  上部ユニット
６１  入出金口
６２  入出機構
６３  識別判定機構
６４  一時保留部
７０  下部ユニット
７１  回収庫
７２ａ〜７２ｃ  収納庫
８０  搬送路
９０  入力部
１００ａ〜１００ｄ  接続Ｉ／Ｆ部
１１０  記憶部
１１１  収納庫管理テーブル記憶部
１２０  制御部
１２１  集積紙幣監視部
１２２  搬送制御部
１２３  識別判定機構制御部
１２４  紙幣収納庫脱時制御部
１２５  紙幣収納庫着時制御部
【発明を実施するための最良の形態】
【００３０】
以下に添付図面を参照して、この発明に係る紙幣収納庫および紙幣処理機の実施例を詳細に説明する。なお、以下では、用語の説明、実施例１に係る紙幣収納庫の構成を説明し、実施例１の効果を説明した後、実施例２および実施例３を説明する。
【実施例１】
【００３１】
［用語の説明］
まず、以下の実施例で用いる主要な用語を説明する。「特徴量（請求の範囲に記載の「特徴量」）に対応する）」とは、所定の手法で紙幣を計測して得られる数値または量であり、本発明では、紙幣より光学的に計測される光学的特徴量として紙幣の隅折れまたは欠損量を示す第一の特徴量、紙幣を透過する光または反射する光の赤外線の減衰量を示す第二の特徴量、紙幣より磁気的に計測される磁気的特徴量として紙幣の記番号印刷部分、肖像画部分および金額印刷部分に含まれる磁気含有量を示す第三の特徴量の３つを取り扱う。【００３２】
また、「カテゴリ（請求の範囲に記載の「カテゴリ」）に対応する）」とは、紙幣をその性質によって分類したときの区分けであり、本発明では、ＥＣＢにおいて定義された５つの区分けを適用する。具体的に説明すると、紙幣は、紙幣処理機の識別能力の範囲で本物と認められるものか、そうでないものかで２つに大きく分類され、前者を真券、後者を偽券と呼ぶ。そして、真券は、紙幣処理機の計測に基づく損傷の度合いでさらに２つに分類され、使用に支障のないものを正券、損傷が著しく使用に支障をきたすものを損券と呼ぶ。よって、５つの区分けは、真券かつ正券としての「第一カテゴリ」、真券かつ損券としての「第二カテゴリ」、偽券としての「第三カテゴリ」、紙幣処理機において真券とは明確に判断できない真偽不確定券としての「第四カテゴリ」、そして、紙幣処理機において識別時に紙幣が２枚重なっていたり、紙幣が識別判定部に正しく定位されなかったりした場合になされる判定であるリジェクト券としての「第五カテゴリ」からなる。紙幣処理機は、上記した３つの特徴量を紙幣より取得し、その組み合わせに基づいて５つの区分けのうちどの区分に該当するかを判定する。【００３３】
［紙幣収納庫の構成］
実施例１に係る紙幣収納庫は、紙幣の入出金を管理する紙幣処理機に搭載されることを概要としており、内部に収納された紙幣の枚数を金種別、かつ、カテゴリ別に把握することを可能としている点に主たる特徴がある。以下では、紙幣収納庫の構成を説明する。図１は、実施例１に係る紙幣収納庫の構成を説明するための図であるが、同図に示すように、紙幣収納庫１０は、接続Ｉ／Ｆ部２０と、紙幣管理テーブル記憶部３０と、処理部４０とから構成される。【００３４】
接続Ｉ／Ｆ部２０は、外部機器と物理的に接続して相互の通信を可能にする。具体的には、接続Ｉ／Ｆ部２０は、外部機器より書き込み指示や読み込み指示を受信すると、指示に係る内容を後述する読み書き制御部４１へ出力する。また、接続Ｉ／Ｆ部２０は、読み込み指示に基づいて読み書き制御部４１が紙幣管理テーブル記憶部３０から読み出した枚数情報を受け取り、外部機器へ送信する。なお、外部機器とは、例えば、当該紙幣収納庫１０を搭載した紙幣処理機のほか、紙幣管理テーブル記憶部３０に対して枚数情報を読み書き可能なコンピュータ（例えば、ハンディ端末やデスクトップ型コンピュータ）などである。【００３５】
紙幣管理テーブル記憶部３０は、当該紙幣収納庫１０の内部に収納されている紙幣について、当該紙幣の種類である金種別に、かつ、当該紙幣の特徴量に基づく分類であるカテゴリ別に、枚数情報を記憶する。【００３６】
具体的には、図２に示すように、紙幣管理テーブル記憶部３０は、行については、紙幣の金種を示す金種情報ごとに区分けされ、列については、カテゴリの区分を示す区分情報ごとに区分けされたマトリクス状のテーブルにおける各セルで枚数情報を記憶する。例えば、図２に示すように、紙幣管理テーブル記憶部３０は、このマトリクス状のテーブルにおいて、金種情報については「千円」、区分情報については「第一カテゴリ」で決まるセルに枚数情報「２０」を記憶する。つまり、この情報は、金種が「千円」であり、区分が「第一カテゴリ」である紙幣が、紙幣収納庫１０内に「２０」枚収納されていることを意味する。【００３７】
処理部４０は、各種の処理手順を規定したプログラムや制御データを格納するための内部メモリを有し、これらによって種々の処理を実行するプロセッサであり、特に本発明に密接に関連するものとしては、読み書き制御部４１を備える。なお、読み書き制御部４１は、請求の範囲に記載の「通信手段」に対応する。【００３８】
読み書き制御部４１は、外部機器より紙幣管理テーブル記憶部３０に対する枚数情報の書き込み指示を受け付けた場合には、当該書き込み指示に基づいて紙幣管理テーブル記憶部３０に枚数情報を書き込み、外部機器より紙幣管理テーブル記憶部３０に対する枚数情報の読み込み指示を受け付けた場合には、当該読み込み指示に基づいて紙幣管理テーブル記憶部３０より枚数情報を読み込んで外部機器に送信する。【００３９】
具体的に例を挙げて説明すると、読み書き制御部４１は、当該紙幣収納庫１０を搭載した紙幣処理機より、紙幣管理テーブル記憶部３０が記憶するマトリクス状のテーブルにおける所定セルに対する枚数情報を接続Ｉ／Ｆ部２０を介して受け取る（例えば、金種情報として「千円」、区分情報として「第一カテゴリ」、枚数情報として「２０」を受け取る）と、指定されたセルで記憶された枚数情報を当該受け取った枚数情報に更新する。【００４０】
また、読み書き制御部４１は、接続Ｉ／Ｆ部２０に接続され、当該紙幣収納庫１０を搭載した紙幣処理機より、紙幣管理テーブル記憶部３０が記憶するマトリクス状のテーブルにおける所定のセルに対する枚数情報の読み込み指示（例えば、金種情報として「千円」、区分情報として「第一カテゴリ」）を接続Ｉ／Ｆ部２０を介して受け取ると、指定されたセルで記憶された枚数情報（例えば、枚数情報「２０」）を読み込んで接続Ｉ／Ｆ部２０を介して紙幣収納庫１０に送信する。なお、書き込みや読み込みの指定については一つのセルに限らず、例えば、複数のセルが指定されてもよい。【００４１】
［紙幣収納庫の概観］
次に、図３や図４を用いて実施例１に係る紙幣収納庫の概観を説明する。図３は、紙幣収納庫の概観を示す図であり、図４は、紙幣収納庫の三面図である。【００４２】
紙幣収納庫１０は、図３や図４に示すように、紙幣管理テーブル記憶部３０に対応するメモリ基板１を備え、当該メモリ基板１に枚数情報を格納する。また、紙幣収納庫１０は、接続Ｉ／Ｆ部２０に対応するコネクタ２を備え、当該コネクタ２が紙幣処理機などの外部機器へ物理的に接続されることで相互の通信を実現する。【００４３】
［実施例１の効果］
上記したように、実施例１によれば、内部に収納されている紙幣について、当該紙幣の種類である金種別に、かつ、当該紙幣の特徴量に基づく分類であるカテゴリ別に、枚数情報を記憶するので、内部に収納された紙幣の枚数を金種別、かつ、カテゴリ別に把握することが可能となる。その結果、偽券や真偽不確定券を取り込んだ場合に、使用者を特定するための新たなトレース情報を追加することも可能となる。【００４４】
また、実施例１によれば、外部機器より紙幣管理テーブル記憶部に対する枚数情報の書き込み指示を受け付けた場合には、当該書き込み指示に基づいて紙幣管理テーブル記憶部に枚数情報を書き込み、外部機器より紙幣管理テーブル記憶部に対する枚数情報の読み込み指示を受け付けた場合には、当該読み込み指示に基づいて紙幣管理テーブル記憶部より枚数情報を読み込んで外部機器に送信するので、紙幣収納庫が記憶する枚数情報を外部機器によって更新することが可能となり、紙幣収納庫が記憶する枚数情報を外部機器より読み込むことが可能となる。
【実施例２】
【００４５】
実施例２では、実施例１に係る紙幣収納庫を搭載した紙幣処理機の説明を行う。なお、実施例２に係る紙幣処理機に搭載される紙幣収納庫は、当該紙幣処理機に対して着脱可能である。また、実施例２に係る紙幣処理機では、搭載箇所ごとに、当該搭載箇所に搭載した紙幣収納庫に収納されるべき金種が予め設定されている。【００４６】
［紙幣処理機の概要および特徴］
図５を用いて、実施例２に係る紙幣処理機の概要および特徴を説明する。図５は、実施例２に係る紙幣処理機の概要および特徴を説明するための図である。同図に示すように、紙幣処理機５０は、上部ユニット６０と、下部ユニット７０とからなり、上部ユニット６０には、入出金口６１と、入出機構６２と、識別判定機構６３と、一時保留部６４とを備え、下部ユニット７０には、回収庫７１と、収納庫７２ａ〜７２ｃとを備え、各部位同士については搬送路８０によって繋がって構成される。そして、紙幣処理機５０は、紙幣の入出金を管理することを概要とし、収納庫および紙幣処理機の両者で、収納庫に収納された紙幣の枚数を金種別、かつ、カテゴリ別に把握することを可能としている点に主たる特徴がある。【００４７】
具体的には、図５に示すように、識別判定機構６３は、紙幣の種類である金種、並びに、紙幣の特徴量に基づく分類であるカテゴリを識別する。そして、回収庫７１や収納庫７２ａ〜７２ｃは、紙幣を内部に収納するとともに、当該内部に収納されている紙幣について、識別判定機構６３によって識別される金種別に、かつ、カテゴリ別に、枚数情報を記憶する。さらに、記憶部１１０は、収納庫ごとに区分けして、各収納庫に収納されている紙幣について、識別判定機構６３によって識別される金種別に、かつ、カテゴリ別に、枚数情報を記憶する。【００４８】
こうすることによって、実施例２に係る紙幣処理機は、上記した主たる特徴のとおり、収納庫および紙幣処理機の両者で、収納庫に収納された紙幣の枚数を金種別、かつ、カテゴリ別に把握することが可能となる。【００４９】
［紙幣処理装置の構成］
次に、図６を用いて、紙幣処理機５０の構成を説明する。図６は、紙幣処理機５０の構成を説明するブロック図である。同図に示すように、紙幣処理機５０は、入出金口６１と、入出機構６２と、識別判定機構６３と、一時保留部６４と、回収庫７１と、収納庫７２ａ〜７２ｃと、搬送路８０と、入力部９０と、各紙幣収納庫を物理的に接続するための接続Ｉ／Ｆ部１００ａ〜１００ｄと、記憶部１１０と、制御部１２０とを備える。【００５０】
ここで、回収庫７１や収納庫７２ａ〜７２ｃについては、紙幣処理機５０に対して着脱可能である。また、紙幣処理機５０では、仮に回収庫７１や収納庫７２ａ〜７２ｃが他の収納庫と交換された場合においても、現に回収庫７１を搭載する搭載箇所には、全金種の紙幣を収納する収納庫が搭載されるものとして、また、現に収納庫７２ａ〜７２ｃを搭載する搭載箇所には、それぞれ千円札、五千円札、一万円札を収納する収納庫が搭載されるものとして予め設定されている。【００５１】
収納庫７２ａ〜７２ｃは、実施例１の紙幣収納庫１０と同様、紙幣を内部に収納するとともに、当該内部に収納されている紙幣について、識別判定機構６３によって識別される金種別に、かつ、カテゴリ別に、枚数情報を記憶する記憶部を備える。具体的には、収納庫７２ａは、千円札を収納し、収納庫７２ｂは、五千円札を収納し、収納庫７２ｃは、一万円札を収納し、出金時において、制御部１２０の制御により搬送路８０に当該紙幣を繰り出す。なお、収納庫７２ａ〜７２ｃには、それぞれ一意に識別することができる収納庫識別情報が付与されている（例えば、収納庫７２ａには収納庫識別情報「２」が付与されている）。【００５２】
搬送路８０は、紙幣収納庫５０内の各部位から各部位へ紙幣を搬送する。具体的には、出金時において、搬送路８０は、収納庫７２ａ〜７２ｃから繰り出された紙幣を制御部１２０の制御により識別判定機構６３へ搬送し、識別判定機構６３で真券かつ正券と判定された紙幣については最終的に入出機構６２内部へ出金額分だけ搬送する。なお、真券かつ正券以外と判定された紙幣については一時保留部６４へ搬送後、再度識別判定機構６３にて判定を行い、判定結果に応じて、収納庫７２ａ〜７２ｃへ搬送する。このとき、識別判定機構６３にて判定された紙幣がリジェクト券の場合や該当する搬送先である収納庫７２ａ〜７２ｃが満杯を検出している場合については、回収庫７１へ搬送する。また、入金時において、搬送路８０は、入出機構６２から繰り出された紙幣を制御部１２０の制御により識別判定機構６３や一時保留部６４などへ搬送しつつ、識別判定機構６３でリジェクト券以外に判定された紙幣については最終的に識別判定機構６３での判定結果、および収納庫７２ａ〜７２ｃの収納量に応じて、収納庫７２ａ〜７２ｃおよび回収庫７１へ搬送する。【００５３】
識別判定機構６３は、紙幣の種類である金種、並びに、紙幣の特徴量に基づく分類であるカテゴリを識別する。具体的には、識別判定機構６３は、紙幣が搬送されると、制御部１２０の制御により当該紙幣に対して所定の計測を実行して当該紙幣の特徴量を取得し、特徴量に基づいて当該紙幣を識別する。【００５４】
一時保留部６４は、識別判定機構６３による識別の結果に基づいて搬送されてきた紙幣を一時的に集積し、回収庫７１は、一時保留部６４から搬送された紙幣を収納する。入出機構６２は、出金時では、搬送されてきた紙幣を内部で保持し、入金時では、内部に置かれた紙幣を搬送路８０に繰り出す。入出金口６１は、開閉可能なシャッタを備え、制御部１２０の制御により当該シャッタを開閉する。なお、シャッタが開かれることで、利用者が入出機構６２内部に集積された紙幣を取り出すことが可能となり、利用者が紙幣を入出機構６２内部に置くことが可能となる。【００５５】
入力部９０は、装置外面に設けられたタッチパネルなどで構成され、入出金に係る要求を受け付けて制御部１２０へ入力する。具体的には、入力部９０は、タッチパネルの所定位置がユーザによって押下されることで所定の出金額を受け付けると、後述する搬送制御部１２２に出金額の情報を出力する。例えば、入力部９０は、三万六千円の出金額を受け付けると、搬送制御部１２２に出金額の情報「３６０００」を出力する。また、入力部９０は、タッチパネルの所定位置がユーザによって押下されることで入金処理開始の指示を受け付けると、搬送制御部１２２に対して入金処理開始を指示する信号を出力する。なお、入力部９０は、管理者から収納庫の着脱に係る要求も受け付けて、後述する紙幣収納庫脱時制御部１２４や紙幣収納庫着時制御部１２５へ入力することも可能である。【００５６】
記憶部１１０は、制御部１２０による各種処理に用いるデータを記憶し、特に本発明と密接に関連するものとしては、収納庫管理テーブル記憶部１１１を備える。なお、収納庫管理テーブル記憶部１１１は、請求の範囲に記載の「記憶手段」に対応する。【００５７】
収納庫管理テーブル記憶部１１１は、各庫に区分けして、各庫に収納されている紙幣について、識別判定機構６３によって識別される金種別に、かつ、カテゴリ別に、枚数情報を記憶する。具体的には、図７に示すように、収納庫管理テーブル記憶部１１１は、紙幣収納庫ごとに、当該収納庫を搭載する搭載箇所を一意に識別する搭載箇所識別情報と、収納庫識別情報と、当該収納庫識別情報が付与される収納庫で収納する紙幣の金種を示す収納金種情報とを対応付けて記憶する。また、収納庫管理テーブル記憶部１１１は、紙幣収納庫ごとに、当該紙幣収納庫が収納する紙幣について、マトリクス状のテーブルで、金種別に、かつ、カテゴリ別に、枚数情報を記憶する。例えば、図７に示すように、収納庫管理テーブル記憶部１１１は、収納庫識別情報「２」に、収納金種情報「千円」と、搭載箇所識別情報「Ｂ」とを対応付けて記憶する。また、収納庫管理テーブル記憶部１１１は、収納庫識別情報「２」が付与される収納庫が収納する紙幣について、金種情報「千円」および区分情報「第一カテゴリ」で決まるセルに枚数情報「１００」を記憶する。【００５８】
制御部１２０は、各種の処理手順を規定したプログラムや制御データを格納するための内部メモリを有し、これらによって種々の処理を実行するプロセッサであり、特に本発明に密接に関連するものとしては、集積紙幣監視部１２１と、搬送制御部１２２と、識別判定機構制御部１２３と、紙幣収納庫脱時制御部１２４と、紙幣収納庫着時制御部１２５とを備える。なお、紙幣収納庫脱時制御部１２４は、請求の範囲に記載の「識別手段」および「第三更新手段」に対応し、識別判定機構制御部１２３は、同じく「第二更新手段」に対応し、紙幣収納庫着時制御部１２５は、同じく「第一更新手段」に対応する。【００５９】
集積紙幣監視部１２１は、入出機構６２内部を監視して、集積された紙幣の金額を算出する。具体的には、出金時において、集積紙幣監視部１２１は、入出機構６２内部に最後の紙幣が集積されると、合計金額を算出して当該合計金額を示す情報を搬送制御部１２２に出力する。【００６０】
搬送制御部１２２は、入出金の際に紙幣が所定の経路をたどるように各部位を制御する。具体的には、搬送制御部１２２は、入力部９０から出金額の情報を受け取ると、枚数情報を更新するように識別判定機構制御部１２３に指示するとともに、繰り出すべき紙幣の金種と、枚数とを算出する（例えば、出金額情報「３６０００」ならば、一万円札を３枚、五千円札を１枚、千円札を１枚）。そして、搬送制御部１２２は、収納庫管理テーブル記憶部１１１を参照して収納庫に収納される金種を判別しつつ、収納庫７２ａ〜７２ｃが紙幣を出金額に基づいた枚数だけ搬送路８０に繰り出すように制御する（例えば、収納庫７２ａが千円札を１枚繰り出すように、収納庫７２ｂが五千円札を１枚繰り出すように、収納庫７２ｃが一万円札を３枚繰り出すように制御する）。そして、搬送制御部１２２は、搬送路８０を制御し、後述する識別判定機構制御部１２３に識別判定機構６３の制御の開始を指示する信号を出力する。【００６１】
そして、搬送制御部１２２は、識別判定機構制御部１２３から真券かつ正券であることを示す判定結果を受け取った場合には、搬送路８０を制御して紙幣を入出機構６２内部まで搬送する。一方、搬送制御部１２２は、識別判定機構制御部１２３から真券かつ正券以外であることを示す判定結果を受け取った場合には、搬送路８０を制御して紙幣を一時保留部６４まで搬送する。そして、搬送制御部１２２は、集積紙幣監視部１２１から現に入出機構６２内部に集積されている紙幣の合計金額の情報を受け取ると、入力部９０から受け取った出金額の情報と突合し、両者が同一である場合には、入出金口６１がシャッタを開けるように制御する。一方で、搬送制御部１２２は、一時保留部６４に真券かつ正券以外と判定された紙幣が搬送された場合については、その内部に保留された紙幣を搬送路８０に繰り出すように制御するとともに、搬送路８０を制御して再度識別判定機構６３にて判定された紙幣がリジェクト券の場合や該当する搬送先である収納庫７２ａ〜７２ｃが満杯を検出している場合については、回収庫７１まで搬送する。なお、搬送制御部１２２は、突合の結果、両者が異なる場合には、足りない金額分の紙幣が入出機構６２内部に搬送されるよう同様に各部位を制御する。【００６２】
また、搬送制御部１２２は、入力部９０から入金処理開始を指示する信号を受け取ると、枚数情報を更新するように識別判定機構制御部１２３に指示するとともに、入出機構６２を制御し、ユーザによって当該入出機構６２内部に置かれた紙幣を搬送路８０に繰り出す。そして、搬送制御部１２２は、識別判定機構制御部１２３に識別判定機構６３の制御の開始を指示する信号を出力する。【００６３】
そして、搬送制御部１２２は、識別判定機構制御部１２３からリジェクト券であることを示す判定結果を受け取った場合には、搬送路８０を制御して紙幣を入出機構６２内部まで搬送する。一方、搬送制御部１２２は、識別判定機構制御部１２３からリジェクト券以外であることを示す判定結果を受け取った場合には、搬送路８０を制御して紙幣を一時保留部６４まで搬送する。そして、搬送制御部１２２は、入出機構６２内部に置かれた最後の紙幣を搬送路８０に繰り出すように制御した後、所定の時間が経過すると、入出金口６１がシャッタを開けるように制御しつつ、入力部９０がタッチパネルに入金額および当該入金額の入金についてユーザに対して確認を取るための情報を表示するように制御する。そして、搬送制御部１２２は、入力部９０より入金の確認信号を受け取ると、一時保留部６４がその内部に集積された紙幣を搬送路８０に繰り出すように制御して再度識別判定機構６３にて判定を行い、判定結果に応じて、収納庫７２ａ〜７２ｃへ搬送する。このとき、識別判定機構６３にて判定された紙幣がリジェクト券の場合や該当する搬送先である収納庫７２ａ〜７２ｃが満杯を検出している場合については、回収庫７１まで搬送する。【００６４】
識別判定機構制御部１２３は、紙幣の種類である金種、並びに、紙幣の特徴量に基づく分類であるカテゴリを識別する。また、識別判定機構制御部１２３は、各庫へ紙幣が繰り込まれる場合に、または、各庫から紙幣が繰り出される場合に、当該紙幣に対する識別判定機構６３による識別結果に応じて収納庫管理テーブル記憶部１１１によって記憶されている枚数情報を更新する。【００６５】
具体的には、識別判定機構制御部１２３は、識別判定機構６３の制御の開始を指示する信号を搬送制御部１２２から受け取ると、識別判定機構６３を制御して、当該識別判定機構６３へ現に搬送された紙幣から３つの特徴量を取得する。つまり、識別判定機構制御部１２３は、識別判定機構６３を制御して紙幣を光学的に計測することで、隅折れまたは欠損量を示す第一の特徴量を取得し、識別判定機構６３を制御して紙幣に赤外線を照射することで、当該紙幣を透過する光または反射する光の赤外線の減衰量を示す第二の特徴量を取得し、識別判定機構６３を制御して紙幣を磁気的に計測することで、紙幣の記番号印刷部分、肖像画部分および金額印刷部分に含まれる磁気含有量を示す第三の特徴量を取得する。そして、識別判定機構制御部１２３は、その組み合わせに基づいて５つの区分けのうちどの区分に該当するかを判定して区分情報を取得し、当該判定結果については搬送制御部１２２に出力する。また、識別判定機構制御部１２３は、識別判定機構６３を制御して紙幣の金種を判別して金種情報を取得し、搬送制御部１２２による演算に係る指示に基づいて収納庫管理テーブル記憶部１１１が記憶する枚数情報を更新する。【００６６】
例えば、識別判定機構制御部１２３は、出金時における判定の結果、区分情報が真券かつ正券としての「第一カテゴリ」であり、金種情報が「千円」であった場合には、収納庫管理テーブル記憶部１１１が記憶するマトリクス状のテーブルにおいて該当するセル（図７では、収納庫識別情報「２」における該当するセル）に記憶された枚数情報「１００」を「９９」に更新する。また、識別判定機構制御部１２３は、出金時における判定の結果、区分情報がリジェクト券としての「第五カテゴリ」であり、金種情報が「五千円」であった場合には、収納庫管理テーブル記憶部１１１が記憶するマトリクス状のテーブルにおいて該当するセル（図７では、収納庫識別情報「３」における該当するセル）に記憶された枚数情報「１００」を「９９」に更新するとともに、リジェクト券については、最終的に回収庫７１へ収納されるので、識別判定機構制御部１２３は、さらに回収庫７１が収納する紙幣の枚数情報について、区分情報「リジェクト券」、金種情報「五千円」で決定されるセルに記憶された枚数情報「０」を「１」に更新する。【００６７】
一方、識別判定機構制御部１２３は、例えば、入金時における判定の結果、千円の真券については、最終的に収庫庫７２ａへ収納されるので、区分情報が真券かつ正券としての「第一カテゴリ」であり、金種情報が「千円」であった場合には、回収庫７１が収納する紙幣の枚数情報について、区分情報「第一カテゴリ」、金種情報「千円」で決定されるセル（図７では、収納庫識別情報「２」における該当するセル）に記憶された枚数情報「１００」を「１０１」に更新する。【００６８】
紙幣収納庫脱時制御部１２４は、現に搭載している所定の収納庫が紙幣処理機５０から取り外される場合に、当該収納庫に対応付けて収納庫管理テーブル記憶部１１１に記憶されている枚数情報を、当該収納庫が備える記憶部に上書きして当該記憶部に記憶されている枚数情報を更新する。【００６９】
具体的に例を挙げて説明すると、紙幣収納庫脱時制御部１２４は、収納庫７２ａの取り外し要求を入力部９０より受け付けると、収納庫管理テーブル記憶部１１１において、取り外しの指定を受けた収納庫７２ａの収納庫識別情報「２」に対応付けられたマトリクス状のテーブルの各セルに記憶された枚数情報を、当該セルを決定する区分情報および金種情報とともに読み出し、収納庫７２ａに送信する（例えば、区分情報「第一カテゴリ」、金種情報「千円」、枚数情報「１００」を送信する）。そして、紙幣収納庫脱時制御部１２４は、マトリクス状のテーブルにおける全てのセルについての送信が終了すると、収納庫７２ａが搭載箇所で接続されている接続部分のロックを解除する。なお、収納庫管理テーブル記憶部１１１において、取り外しの対象となった収納庫の記憶部におけるマトリクス状のテーブル内全てのセルに記憶された枚数情報については、初期値「０」となる。また、取り出し要求は入力部９０からの受け付けを必要とせず、収納庫７２ａの、例えば取り出しボタン等と連動して、紙幣収納庫脱時制御部１２４が取り出し時の各処理を行うように制御することも可能である。【００７０】
紙幣収納庫着時制御部１２５は、所定の収納庫が紙幣処理機５０に装着された場合に、当該収納庫が備える記憶部に記憶されている枚数情報を、当該収納庫に対応付けて収納庫管理テーブル記憶部１１１に新たに格納して収納庫管理テーブル記憶部１１１に記憶されている枚数情報を更新する。【００７１】
具体的に例を挙げて説明すると、紙幣収納庫着時制御部１２５は、千円札を収納する収納庫が搭載されるべき搭載箇所（搭載箇所識別情報「Ｂ」）に所定の収納庫が接続され、入力部９０より当該収納庫が記憶する枚数情報の読み出し指示を受け付けると、まず、収納庫に対して収納庫識別情報の送信を指示する。そして、紙幣収納庫着時制御部１２５は、収納庫より収納庫識別情報「５」を受信すると、搭載箇所識別情報「Ｂ」に対応付けられた収納庫識別情報を「２」から「５」へ更新する。次に、紙幣収納庫着時制御部１２５は、区分情報「第一カテゴリ」および金種情報「千円」によってセルを指定し、当該指定したセルに記憶された枚数情報の送信を収納庫に指示する。そして、紙幣収納庫着時制御部１２５は、枚数情報「１００」を受信すると、収納庫管理テーブル記憶部１１１において、収納庫識別情報「５」に対応付けられたマトリクス状のテーブルの区分情報「第一カテゴリ」、金種情報「千円」で決定されるセルで記憶された枚数情報を「０（初期値）」から「１００」へ更新する。そして、その後、紙幣収納庫着時制御部１２５は、マトリクス状のテーブルにおける全てのセルについての枚数情報を受信する。また、当該受信した枚数情報の更新が終了すると、入力部９０のタッチパネルに装着処理の完了を示す情報（例えば、「装着完了」の文字）を表示することも可能である。【００７２】
［紙幣処理機の処理］
次に、図８、図９、図１０および図１１を用いて、紙幣処理機５０の処理を説明する。図８は、紙幣処理機の出金時における処理の流れを示すフローチャートであり、図９は、紙幣処理機の入金時における処理の流れを示すフローチャートであり、図１０は、紙幣収納庫脱時における紙幣処理機の処理の流れを示すフローチャートであり、図１１は、紙幣収納庫着時における紙幣処理機の処理の流れを示すフローチャートである。【００７３】
［紙幣処理機の出金時における処理］
図８に示すように、紙幣処理機５０は、入力部９０によって所定の出金額をユーザより受け付けると（ステップＳ８０１肯定）、搬送制御部１２２によって、収納庫７２ａ〜７２ｃが出金額分の紙幣を搬送路８０に繰り出すように制御する（ステップＳ８０２）。そして、紙幣処理機５０は、搬送制御部１２２によって搬送路８０が紙幣を識別判定機構６３まで搬送するように制御する（ステップＳ８０３）。【００７４】
そして、紙幣処理機５０は、識別判定機構制御部１２３によって識別判定機構６３を制御して紙幣を識別し（ステップＳ８０４）、真券かつ正券である場合には（ステップＳ８０５肯定）、収納庫管理テーブル記憶部１１１が記憶するマトリクス状のテーブルにおける該当セルに記憶された枚数情報を減算して更新する（ステップＳ８０８）。そして、紙幣処理機５０は、搬送制御部１２２によって搬送路８０が紙幣を入出機構６２内部まで搬送するように制御する（ステップＳ８０９）。一方、識別の結果、真券かつ正券以外である場合には（ステップＳ８０５否定）、紙幣処理機５０は、収納庫管理テーブル記憶部１１１が記憶するマトリクス状のテーブルにおける該当セルに記憶された枚数情報を更新する（ステップＳ８０６）。そして、紙幣処理機５０は、搬送制御部１２２によって搬送路８０が紙幣を一時保留部６４まで搬送するように制御する（ステップＳ８０７）。【００７５】
そして、紙幣処理機５０は、紙幣が入出機構６２内部に出金額分集積されると、つまり、搬送制御部１２２による突合の結果（集積紙幣監視部１２１から搬送制御部１２２に出力された合計金額の情報と、入力部９０から搬送制御部１２２に出力された出金額の情報との突合結果）、両者が同一である場合には（ステップＳ８１０肯定）、搬送制御部１２２によって入出金口６１がシャッタを開けるように制御する（ステップＳ８１１）。ここで、一時保留部６４に搬送した紙幣がある場合には（ステップＳ８１２肯定）、紙幣処理機５０は、搬送制御部１２２によって一時保留部６４がその内部に保留された紙幣を搬送路８０に繰り出すように制御し（ステップＳ８１３）、搬送路８０を制御して紙幣を収納庫７２ａ〜７２ｃ、および回収庫７１まで搬送するように制御し（ステップＳ８１４）、入出金口６１がシャッタを閉めるように制御し（ステップＳ８１５）、処理を終了する。【００７６】
［紙幣処理機の入金時における処理］
また、図９に示すように、紙幣処理機５０は、入力部９０によって入金処理開始の指示を受け付けると（ステップＳ９０１肯定）、搬送制御部１２２によって、入出機構６２が当該入出機構６２内部に置かれた紙幣を搬送路８０に繰り出すように制御する（ステップＳ９０２）。そして、紙幣処理機５０は、搬送制御部１２２によって搬送路８０が紙幣を識別判定機構６３まで搬送するように制御する（ステップＳ９０３）。【００７７】
そして、紙幣処理機５０は、識別判定機構制御部１２３によって識別判定機構６３を制御して紙幣を識別し（ステップＳ９０４）、リジェクト券である場合には（ステップＳ９０５肯定）、搬送路８０を制御して紙幣を入出機構６２内部まで搬送する（ステップＳ９０６）。一方、識別の結果、リジェクト券以外である場合には（ステップＳ９０５否定）、紙幣処理機５０は、収納庫管理テーブル記憶部１１１が記憶するマトリクス状のテーブルにおける該当セルに記憶された枚数情報を加算して更新する（ステップＳ９０７）。そして、紙幣処理機５０は、搬送制御部１２２によって搬送路８０が紙幣を一時保留部６４まで搬送するように制御する（ステップＳ９０８）。【００７８】
そして、紙幣処理機５０は、入出機構６２内部に置かれた紙幣が搬送路８０に全て繰り出されて所定の時間が経過すると（ステップＳ９０９肯定）、搬送制御部１２２によって入出金口６１がシャッタを開けるように制御し（ステップＳ９１０）、入力部９０のタッチパネルに入金の確認を受けるための一画を表示して待機する（ステップＳ９１１）。そして、紙幣処理機５０は、入力部９０より入金額の確認信号を受け取ると（ステップＳ９１１肯定）、シャッタを閉め（ステップＳ９１２）、搬送制御部１２２によって一時保留部６４がその内部に保留された紙幣を搬送路８０に繰り出すように制御し（ステップＳ９１３）、搬送路８０を制御して紙幣を収納庫７２ａ〜７２ｃ、および回収庫７１まで搬送するように制御し（ステップＳ９１４）、処理を終了する。【００７９】
［紙幣収納庫脱時における紙幣処理機の処理］
また、図１０に示すように、紙幣処理機５０は、入力部９０より収納庫の取り外し要求を受け付けると（ステップＳ１００１肯定）、紙幣収納庫脱時制御部１２４によって、取り外しの対象である収納庫の収納庫識別情報に対応付けられたマトリクス状のテーブルの各セルに記憶された枚数情報を収納庫管理テーブル記憶部１１１より読み出す（ステップＳ１００２）。そして、紙幣処理機５０は、紙幣収納庫脱時制御部１２４によって、当該読み出した枚数情報を、当該枚数情報が記憶されたセルを決定する区分情報および金種情報とともに送信することで、取り外しの対象である収納庫に書き込みを指示する（ステップＳ１００３）。そして、紙幣処理機５０は、紙幣収納庫脱時制御部１２４によって、マトリクス状のテーブルにおける全てのセルについて枚数情報の送信が終了し、書き込みが完了すると（ステップＳ１００４肯定）、同じく紙幣収納庫脱時制御部１２４の制御によって、取り外しの対象である収納庫との接続部分のロックを解除し（ステップＳ１００５）、処理を終了する。【００８０】
［紙幣収納庫着時における紙幣処理機の処理］
また、図１１に示すように、紙幣処理機５０は、所定の搭載箇所に収納庫が装着され、入力部９０より当該収納庫が記憶する枚数情報の読み出し指示を受け付けると（ステップＳ１１０１肯定）、紙幣収納庫着時制御部１２５によって、当該装着された収納庫に対して収納庫識別情報の送信を指示する（ステップＳ１１０２）。そして、紙幣処理機５０は、紙幣収納庫着時制御部１２５によって、搭載位置の搭載箇所識別情報に対応付けられた収納庫識別情報を、受信した収納庫識別情報へ更新する（ステップＳ１１０３）。そして、紙幣処理機５０は、紙幣収納庫着時制御部１２５によって、当該装着された収納庫に対してセルを指定して枚数情報の送信を指示し（ステップＳ１１０４）、収納庫より受信した枚数情報で更新する（ステップＳ１１０５）。そして、紙幣処理機５０は、全てのセルについて枚数情報の受信が終了すると（ステップＳ１１０６肯定）、入力部９０のタッチパネルに装着処理の完了を示す情報を表示し（ステップＳ１１０７）、処理を終了する。【００８１】
［実施例２の効果］
上記したように、実施例２によれば、紙幣の種類である金種、並びに、紙幣の特徴量に基づく分類であるカテゴリを識別し、紙幣を内部に収納するとともに、当該内部に収納されている紙幣について、識別判定機構によって識別される金種別に、かつ、カテゴリ別に、枚数情報を記憶する記憶部を備える紙幣収納庫を搭載し、紙幣収納庫ごとに区分けして、各紙幣収納庫に収納されている紙幣について、識別判定機構によって識別される金種別に、かつ、カテゴリ別に、枚数情報を記憶するので、紙幣収納庫に収納された紙幣の枚数を金種別、かつ、カテゴリ別に把握することが可能となり、偽券や真偽不確定券を取り込んだ場合に、使用者を特定するための新たなトレース情報を追加することが可能となる。【００８２】
また、実施例２によれば、紙幣収納庫が紙幣処理機に装着された場合に、当該紙幣収納庫が備える記憶部に記憶されている枚数情報を、当該紙幣収納庫に対応付けて更新し、紙幣収納庫から紙幣が繰り出される場合に、当該紙幣に対する識別判定機構による識別結果に応じて、記憶する枚数情報を更新し、紙幣収納庫が紙幣処理機から取り外された場合に、当該紙幣収納庫に対応付けて記憶した枚数情報を、当該紙幣収納庫が備える記憶部に上書きして当該記憶部に記憶されている枚数情報を更新するので、収納庫を着脱することが可能となり、収納庫の着脱に際しても紙幣処理機内の収納庫に収納された紙幣の枚数を金種別、かつ、カテゴリ別に把握することが可能となる。また、取り外された収納庫に収納された紙幣の枚数を金種別、かつ、カテゴリ別に把握することが可能となる。【００８３】
また、実施例２によれば、カテゴリとして、紙幣より光学的に計測される光学的特徴量として紙幣の形状を示す第一の特徴量と、紙幣を透過または反射する光の光量または波長を示す第二の特徴量と、紙幣より磁気的に計測される磁気的特徴量として紙幣に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、枚数情報を記憶するので、収納庫および紙幣処理機の両者で、収納庫に収納された紙幣の枚数を金種別、かつ、ＥＣＢの定義別に把握することが可能となる。【００８４】
また、実施例２によれば、収納庫は、カテゴリとして、紙幣より光学的に計測される光学的特徴量として紙幣の隅折れまたは欠損量を示す第一の特徴量と、紙幣を透過する光または反射する光の赤外線の減衰量を示す第二の特徴量と、紙幣より磁気的に計測される磁気的特徴量として紙幣の記番号印刷部分、肖像画部分および金額印刷部分に含まれる磁気含有量を示す第三の特徴量との組合せに基づいて、真券かつ正券としての第一カテゴリ、真券かつ損券としての第二カテゴリ、真偽不確定券としての第三カテゴリ、偽券としての第四カテゴリ、リジェクト券としての第五カテゴリに区分けされたカテゴリ別に、枚数情報を記憶する記憶部を備えるので、収納庫および紙幣処理機の両者で、収納庫に収納された紙幣の枚数を金種別、かつ、ＥＣＢの定義別に把握することが可能となり、偽券や真偽不確定券を取り込んだ場合に、使用者を特定するための新たなトレース情報を追加することが可能となる。
【実施例３】
【００８５】
さて、これまで本発明の実施例について説明したが、本発明は上述した実施例以外にも、種々の異なる形態にて実施されてよいものである。そこで、以下に示すように、（１）〜（５）にそれぞれ区分けして異なる実施例を説明する。【００８６】
（１）特徴量
上記の実施例では、紙幣を計測して得られる数値または量として、第一の特徴量、第二の特徴量および第三の特徴量を挙げて説明したが、本発明はこれに限定されるものではなく、所定の手法で紙幣を計測して得られる数値または量であればいかなるものであってもよい。例えば、紙幣を撮影して画像を取得し、当該画像データを分析して得られる情報などでもよい。【００８７】
（２）カテゴリ
また、上記の実施例では、紙幣が区分けされるカテゴリとして、ＥＣＢにおいて定義された５つの区分けを適用する場合を説明したが、本発明はこれに限定されるものではなく、紙幣の特徴量に基づく分類であればいかなるものであってもよい。例えば、「真偽不確定券」を除いた４つの区分けからなるカテゴリを適用するようにしてもよい。【００８８】
（３）収納庫の構成
また、上記の実施例２では、紙幣を収納する収納庫の構成としては、出金時に識別判定機構６３によって識別された紙幣を一時保留する一時保留部６４と、紙幣を金種混合で一括して収納する回収庫７１と、を含むものとして説明したが、本発明はこれに限定されるものではなく、出金時に識別判定機構６３によって識別された紙幣を一時保留する出金一時保留収納庫、前記紙幣を金種混合で一括して収納する金種混合収納庫、入金時に識別判定機構６３によって第三カテゴリに判定された紙幣を収納する入金真偽不確定券収納庫、入金時に識別判定機構６３によって第四カテゴリに判定された紙幣を収納する入金偽券収納庫、出金時に識別判定機構６３によって第三カテゴリに判定された紙幣を収納する出金真偽不確定券収納庫、出金時に識別判定機構６３によって第四カテゴリに判定された紙幣を収納する出金偽券収納庫、出金時に識別判定機構６３によって第五カテゴリに判定された紙幣を収納する出金リジェクト券収納庫、のうちいずれか一つ、または、複数を含んで構成されるようにしてもよい。【００８９】
（４）金種の設定
上記の実施例２では、搭載箇所ごとに、当該搭載箇所に搭載した紙幣収納庫に収納されるべき金種が予め設定されているものとして説明したが、本発明はこれに限定されるものではなく、一つの金種の紙幣を収納した紙幣収納庫を搭載箇所の区別なく搭載するようにしてもよい。【００９０】
これについて説明すると、紙幣収納庫着時制御部１２５は、所定の収納庫が紙幣処理機５０に装着された場合に、当該収納庫が備える記憶部に記憶されている枚数情報を、当該収納庫に対応付けて収納庫管理テーブル記憶部１１１に新たに格納して更新するとともに、当該収納庫に収納されている一の金種を特定する金種情報を当該収納庫に対応付けて収納庫管理テーブル記憶部１１１に格納する。【００９１】
具体的に例を挙げて説明すると、紙幣収納庫着時制御部１２５は、一万円札を収納し、収納庫識別情報が「５」である紙幣収納庫が搭載箇所識別情報「Ｂ」で示される搭載箇所に搭載された場合には、収納庫管理テーブル記憶部１１１において搭載箇所識別情報「Ｂ」に対応する収納庫識別情報を「２」から「５」へ更新し、マトリクス状のテーブルにおいて各セルの枚数情報を紙幣収納庫の記憶部に記憶されている枚数情報に更新し、さらに収納金種情報「千円」を、紙幣収納庫の記憶部のマトリクス状のテーブルにおいて唯一枚数情報が記憶されているセルに対応する金種情報「一万円」に更新する。こうすることによって、一つの金種の紙幣を収納した収納庫をいずれの搭載箇所に搭載しても、入金時には、取り込んだ紙幣と同金種の紙幣を収納する収納庫に誤りなく収納し、出金時には、出金額に必要な金種の紙幣を収納する収納庫から誤りなく紙幣を払い出すことが可能となる。【００９２】
（５）システム構成等
また、図示した各装置の各構成要素は機能概念的なものであり、必ずしも物理的に図示の如く構成されていることを要しない。すなわち、各装置の分散、統合の具体的形態は図示のものに限られず、例えば、紙幣収納庫脱時制御部１２４と、紙幣収納庫着時制御部１２５とを統合するなど、その全部または一部を、各種の負荷や使用状況などに応じて、任意の単位で機能的または物理的に分散、統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００９３】
以上のように、本発明に係る紙幣収納庫は、紙幣の入出金を管理する紙幣処理機に搭載される場合に有用であり、収納された紙幣の枚数を金種別、かつ、カテゴリ別に把握することに適する。
【図１】
2008149433.tif 000003
【図２】
2008149433.tif 000004
【図３】
2008149433.tif 000005
【図４】
2008149433.tif 000006
【図５】
2008149433.tif 000007
【図６】
2008149433.tif 000008
【図７】
2008149433.tif 000009
【図８】
2008149433.tif 000010
【図９】
2008149433.tif 000011
【図１０】
2008149433.tif 000012
【図１１】
2008149433.tif 000013
【国際調査報告】
2008149433.tif 000014
2008149433.tif 000015